【手続補正書】
【提出日】平成27年7月3日(2015.7.3)
【手続補正１】
【補正対象書類名】明細書
【補正対象項目名】０００８
【補正方法】変更
【補正の内容】
【０００８】
上記目的を達成するため、本発明に係る光ビーム出射装置は、複数の光ビームを出射する光源を保持する保持部と、ねじの呼びを通過させる開口と、が設けられた保持ユニットと、前記保持ユニットが固定される保持ユニットが当接する当接部と、前記開口を通過したねじの呼びが螺合される螺合穴と、が設けられた筐体と、前記開口を通過する呼びを備え、当該呼びが前記螺合穴に螺合される固定ねじであって、ねじ頭と前記筐体とによって前記保持ユニットを挟持することによって、前記保持ユニットを前記当接部に当接させた状態で前記筐体に固定する固定ねじと、を備え、前記筺体に固定される前の前記保持ユニットは前記筺体に対して回転可能であって、前記保持ユニットは前記保持ユニットの当該筺体に対する回転方向における位置を決めるための基準として設けられた前記当接部に当接しており、前記保持ユニットの回転中心と前記固定ねじの回転中心を結ぶ直線と前記固定ねじの回転軸とに垂直な直線に関して一方の側の第１の領域における前記ねじ頭と前記保持ユニットとの接触面積が、前記垂直な直線に関して他方の側の第２の領域における前記ねじ頭と前記保持ユニットとの接触面積よりも大きく、前記当接部は、前記螺合穴に前記固定ねじの呼びを螺合する際に生じる前記ねじ頭と前記保持ユニットとの動摩擦力によって前記保持ユニットに作用する回転モーメントに抗する位置に配置されていることを特徴とする。
【手続補正２】
【補正対象書類名】特許請求の範囲
【補正対象項目名】全文
【補正方法】変更
【補正の内容】
【特許請求の範囲】
【請求項１】
複数の光ビームを出射する光源を保持する保持部と、ねじの呼びを通過させる開口と、が設けられた保持ユニットと、
前記保持ユニットが固定される保持ユニットが当接する当接部と、前記開口を通過したねじの呼びが螺合される螺合穴と、が設けられた筐体と、
前記開口を通過する呼びを備え、当該呼びが前記螺合穴に螺合される固定ねじであって、ねじ頭と前記筐体とによって前記保持ユニットを挟持することによって、前記保持ユニットを前記当接部に当接させた状態で前記筐体に固定する固定ねじと、を備え、
前記筺体に固定される前の前記保持ユニットは前記筺体に対して回転可能であって、
前記保持ユニットは前記保持ユニットの当該筺体に対する回転方向における位置を決めるための基準として設けられた前記当接部に当接しており、
前記保持ユニットの回転中心と前記固定ねじの回転中心を結ぶ直線と前記固定ねじの回転軸とに垂直な直線に関して一方の側の第１の領域における前記ねじ頭と前記保持ユニットとの接触面積が、前記垂直な直線に関して他方の側の第２の領域における前記ねじ頭と前記保持ユニットとの接触面積よりも大きく、
前記当接部は、前記螺合穴に前記固定ねじの呼びを螺合する際に生じる前記ねじ頭と前記保持ユニットとの動摩擦力によって前記保持ユニットに作用する回転モーメントに抗する位置に配置されていることを特徴とする光ビーム出射装置。
【請求項２】
前記第１の領域は、前記垂直な直線に関して前記保持ユニットの回転中心とは異なる側であり、前記第２の領域は、前記垂直な直線に関して前記保持ユニットの回転中心側であることを特徴とする請求項１に記載の光ビーム出射装置。
【請求項３】
前記筐体には、前記固定ねじの回転軸方向から前記筐体を見たときの前記ねじ頭の投影領域において、前記第１の領域の少なくとも一部が前記第２の領域よりも前記ねじ頭側に突出した突出部が設けられ、前記突出部と前記ねじ頭とが接触することを特徴とする請求項１または２に記載の光ビーム出射装置。
【請求項４】
前記突出部は、前記螺合穴を挟んで前記第２の領域とは反対側の前記第１の領域に設けられていることを特徴とする請求項３に記載の光ビーム出射装置。
【請求項５】
前記突出部は、前記保持ユニットの回転中心と前記固定ねじの回転中心を結ぶ直線に対して線対称に設けられていることを特徴とする請求項４に記載の光ビーム出射装置。
【請求項６】
前記当接部は、前記筐体から突出した位置決めピンであることを特徴とする請求項１乃至５のいずれか１項に記載の光ビーム出射装置。
【請求項７】
前記光源が取り付けられる光源取付部と、前記光源から出射された光ビームが入射するレンズが取り付けられるレンズ取付部と、前記光源取付部と前記レンズ取付部とを連結し、断面形状が円形の連結部と、を有する支持部材を備え、
前記保持ユニットの前記保持部は円形であり、前記連結部は前記保持部に嵌合し、前記筺体に固定される前の前記保持ユニットは円形の前記保持部及び前記連結部の中心を回転中心として回転可能であることを特徴とする請求項１乃至６のいずれか１項に記載の光ビーム出射装置。
【請求項８】
前記筺体に固定された前記保持ユニットに保持された光源から出射される複数の光ビームが感光体を走査するように前記光ビームを偏向する偏向手段と、
前記偏向手段によって偏向された光ビームを前記感光体上に導く光学部材と、
を備え、
前記偏向手段および前記光学部材は前記筺体に収容されていることを特徴とする請求項１乃至７のいずれか１項に記載の光ビーム出射装置。
【請求項９】
請求項８に記載の光ビーム出射装置と、
前記光ビーム出射装置から出射される光ビームによって露光される感光体と、
前記光ビームによって露光されることによって前記感光体上に形成される静電潜像をトナーによって現像する現像手段と、
前記感光体上に形成されるトナー像を記録媒体上に転写する転写手段と、
前記記録媒体上に転写された前記トナー像を前記記録媒体に定着させる定着手段と、を備えることを特徴とする画像形成装置。
【請求項１０】
複数の光ビームを出射する光源を保持する保持部と、ねじの呼びを通過させる開口と、が設けられた保持ユニットと、
前記保持ユニットが固定される保持ユニットが当接する当接部と、前記開口を通過したねじの呼びが螺合される螺合穴と、が設けられた筐体と、
前記開口を通過する呼びを備え、当該呼びが前記螺合穴に螺合される固定ねじであって、ねじ頭と前記筐体とによって前記保持ユニットを挟持することによって、前記保持ユニットを前記当接部に当接させた状態で前記筐体に固定する固定ねじと、を備え、
前記筺体に固定する前の前記保持ユニットは前記筺体に対して回転可能であって、
前記保持ユニットは、前記保持ユニットの当該筺体に対する回転方向における位置を決めるための基準として設けられた前記当接部に当接しており、
前記保持ユニットの回転中心と前記固定ねじの回転中心を結ぶ直線と前記固定ねじの回転軸とに垂直な直線に関して一方の側の第１の領域において前記ねじ頭と前記保持ユニットとが接触し、前記垂直な直線に関して他方の側の第２の領域において前記ねじ頭と前記保持ユニットとが非接触であり、
前記当接部は、前記螺合穴に前記固定ねじの呼びを螺合する際に生じる前記第１の領域における前記ねじ頭と前記保持ユニットとの動摩擦力によって前記保持ユニットに作用する回転モーメントに抗する位置に配置されていることを特徴とする光ビーム出射装置。
【請求項１１】
前記第１の領域は、前記垂直な直線に関して前記保持ユニットの回転中心とは異なる側であり、前記第２の領域は、前記垂直な直線に関して前記保持ユニットの回転中心側であることを特徴とする請求項１０に記載の光ビーム出射装置。
【請求項１２】
前記筐体には、前記固定ねじの回転軸方向から前記筐体を見たときの前記ねじ頭の投影領域において、前記第１の領域の少なくとも一部が前記第２の領域よりも前記ねじ頭側に突出した突出部が設けられ、前記突出部と前記ねじ頭とが接触することを特徴とする請求項１０または１１に記載の光ビーム出射装置。
【請求項１３】
前記突出部は、前記螺合穴を挟んで前記第２の領域とは反対側の前記第１の領域に設けられていることを特徴とする請求項１２に記載の光ビーム出射装置。
【請求項１４】
前記突出部は、前記保持ユニットの回転中心と前記固定ねじの回転中心を結ぶ直線に対して線対称に設けられていることを特徴とする請求項１３に記載の光ビーム出射装置。
【請求項１５】
前記当接部は、前記筐体から突出した位置決めピンであることを特徴とする請求項１０乃至１４のいずれか１項に記載の光ビーム出射装置。
【請求項１６】
前記光源が取り付けられる光源取付部と、前記光源から出射された光ビームが入射するレンズが取り付けられるレンズ取付部と、前記光源取付部と前記レンズ取付部とを連結し、断面形状が円形の連結部と、を有する支持部材を備え、
前記保持ユニットの前記保持部は円形であり、前記連結部は前記保持部に嵌合し、前記筺体に固定される前の前記保持ユニットは円形の前記保持部及び前記連結部の中心を回転中心として回転可能であることを特徴とする請求項１０乃至１５のいずれか１項に記載の光ビーム出射装置。
【請求項１７】
前記筺体に固定された前記保持ユニットに保持された光源から出射される複数の光ビームが感光体を走査するように前記光ビームを偏向する偏向手段と、
前記偏向手段によって偏向された光ビームを前記感光体上に導く光学部材と、
を備え、
前記偏向手段および前記光学部材は前記筺体に収容されていることを特徴とする請求項１０乃至１６のいずれか１項に記載の光ビーム出射装置。
【請求項１８】
請求項１７に記載の光ビーム出射装置と、
前記光ビーム出射装置から出射される光ビームによって露光される感光体と、
前記光ビームによって露光されることによって前記感光体上に形成される静電潜像をトナーによって現像する現像手段と、
前記感光体上に形成されるトナー像を記録媒体上に転写する転写手段と、
前記記録媒体上に転写された前記トナー像を前記記録媒体に定着させる定着手段と、を備えることを特徴とする画像形成装置。